(57)【要約】【課題】リモコン装置を３路スイッチと同様の用途に用いることができる負荷制御システムを提供する。【解決手段】負荷への給電路に挿入されて負荷への給電をオンオフするスイッチ本体と、スイッチ本体を操作するためのリモコン装置１とを備え、リモコン装置１は、使用者によるハンドル１１ａへの操作入力を受け付ける操作部と、窓部１２ａを通じてワイヤレス信号を送信する送信部と、操作部に操作入力が受け付けられたときに送信部を制御して操作部に受け付けられた操作入力に応じたワイヤレス信号を送信させる制御部とを備える。スイッチ本体は、リモコン装置１から受信したワイヤレス信号に応じて負荷を制御するから、リモコン装置１を３路スイッチと同様の用途に用いることができる。【選択図】図１
2008236375.tif 000002
【特許請求の範囲】
【請求項１】
負荷への給電路に挿入されて負荷への給電をオンオフするスイッチ本体と、スイッチ本体を操作するためのリモコン装置とを備え、
リモコン装置は、
使用者による操作入力を受け付けるリモコン側操作部と、
ワイヤレス信号を送信する送信部と、
リモコン側操作部に操作入力が受け付けられたときに送信部を制御してリモコン側操作部に受け付けられた操作入力に応じたワイヤレス信号を送信させるリモコン側制御部と、
送信部及びリモコン側制御部の電源を生成するリモコン側電源部と、
リモコン側制御部を収納するとともにリモコン側操作部と送信部とリモコン側電源部とをそれぞれ保持したリモコン側ハウジングとを有し、
スイッチ本体は、
使用者による操作入力を受け付ける本体側操作部と、
リモコン装置の送信部が送信するワイヤレス信号を受信する受信部と、
負荷への給電路に挿入されて負荷への給電をオンオフするスイッチ部と、
本体側操作部に操作入力が受け付けられたときに本体側操作部に受け付けられた操作入力に応じてスイッチ部を制御するとともに受信部にリモコン装置からのワイヤレス信号が受信されたときに受信部に受信されたワイヤレス信号に応じてスイッチ部を制御する本体側制御部と、
本体側制御部の電源を生成する本体側電源部と、
スイッチ部と本体側制御部とをそれぞれ収納するとともに本体側操作部と受信部と本体側電源部とをそれぞれ保持して施工面に埋込配設される本体側ハウジングとを有することを特徴とする負荷制御システム。
【請求項２】
リモコン側ハウジングは、リモコン側操作部を上向きとして平面上に安定して載置可能な形状であって、リモコン側操作部を上向きとして設置されたときに少なくとも水平方向にワイヤレス信号が送信される向きで送信部を保持していることを特徴とする請求項１記載の負荷制御システム。
【請求項３】
リモコン側電源部は商用電源から電源を生成することを特徴とする請求項１又は請求項２記載の負荷制御システム。
【請求項４】
リモコン側操作部においてハウジング外に露出して操作力を受ける部位の少なくとも一部が蓄光性を有する材料で構成されていることを特徴とする請求項１〜３のいずれか一項に記載の負荷制御システム。
【発明の詳細な説明】
【技術分野】
【０００１】
本発明は、負荷制御システムに関するものである。
【背景技術】
【０００２】
従来から、負荷制御システムとして、例えば照明負荷や換気扇のような負荷への給電路に挿入されて負荷への給電をオンオフするスイッチ本体と、スイッチ本体を制御するためのワイヤレス信号を送信するリモコン装置とを備えるものが提供されている（例えば、特許文献１参照）。
【０００３】
従来のリモコン装置は、人体を検知する人体検知センサを備え、人体検知センサに人体が検知されたときに、負荷のオンを指示するワイヤレス信号をスイッチ本体に送信するようになっていた。
【０００４】
上記従来例においては、ワイヤレス信号を用いることにより、リモコン装置とスイッチ本体との間での信号線の配線が不要となっている。
【特許文献１】特開２００６−２５３０９２号公報
【発明の開示】
【発明が解決しようとする課題】
【０００５】
しかし、上記従来の負荷制御システムにおいては、一般的な３路スイッチと異なり、使用者がリモコン装置を用いて負荷をオフすることはできなかった。
【０００６】
本発明は、上記事由に鑑みて為されたものであり、その目的は、リモコン装置を３路スイッチと同様の用途に用いることができる負荷制御システムを提供することにある。
【課題を解決するための手段】
【０００７】
請求項１の発明は、負荷への給電路に挿入されて負荷への給電をオンオフするスイッチ本体と、スイッチ本体を操作するためのリモコン装置とを備え、リモコン装置は、使用者による操作入力を受け付けるリモコン側操作部と、ワイヤレス信号を送信する送信部と、リモコン側操作部に操作入力が受け付けられたときに送信部を制御してリモコン側操作部に受け付けられた操作入力に応じたワイヤレス信号を送信させるリモコン側制御部と、送信部及びリモコン側制御部の電源を生成するリモコン側電源部と、リモコン側制御部を収納するとともにリモコン側操作部と送信部とリモコン側電源部とをそれぞれ保持したリモコン側ハウジングとを有し、スイッチ本体は、使用者による操作入力を受け付ける本体側操作部と、リモコン装置の送信部が送信するワイヤレス信号を受信する受信部と、負荷への給電路に挿入されて負荷への給電をオンオフするスイッチ部と、本体側操作部に操作入力が受け付けられたときに本体側操作部に受け付けられた操作入力に応じてスイッチ部を制御するとともに受信部にリモコン装置からのワイヤレス信号が受信されたときに受信部に受信されたワイヤレス信号に応じてスイッチ部を制御する本体側制御部と、本体側制御部の電源を生成する本体側電源部と、スイッチ部と本体側制御部とをそれぞれ収納するとともに本体側操作部と受信部と本体側電源部とをそれぞれ保持して施工面に埋込配設される本体側ハウジングとを有することを特徴とする。
【０００８】
この発明によれば、リモコン装置を３路スイッチと同様の用途に用いることができる。
【０００９】
請求項２の発明は、請求項１の発明において、リモコン側ハウジングは、リモコン側操作部を上向きとして平面上に安定して載置可能な形状であって、リモコン側操作部を上向きとして設置されたときに少なくとも水平方向にワイヤレス信号が送信される向きで送信部を保持していることを特徴とする。
【００１０】
この発明によれば、リモコン装置を卓上に載置して使用することができる。
【００１１】
請求項３の発明は、請求項１又は請求項２の発明において、リモコン側電源部は商用電源から電源を生成することを特徴とする。
【００１２】
この発明によれば、リモコン側電源部が乾電池から電源を生成する場合と違い、乾電池を交換する必要がない。
【００１３】
請求項４の発明は、請求項１〜３のいずれか一項の発明において、リモコン側操作部においてハウジング外に露出して操作力を受ける部位の少なくとも一部が蓄光性を有する材料で構成されていることを特徴とする。
【００１４】
この発明によれば、暗闇の中でもリモコン装置を操作しやすくなる。また、電気的光源を用いる場合に比べ、消費電力が低減される。
【発明の効果】
【００１５】
請求項１の発明は、負荷への給電路に挿入されて負荷への給電をオンオフするスイッチ本体と、スイッチ本体を操作するためのリモコン装置とを備え、リモコン装置は、使用者による操作入力を受け付けるリモコン側操作部と、ワイヤレス信号を送信する送信部と、リモコン側操作部に操作入力が受け付けられたときに送信部を制御してリモコン側操作部に受け付けられた操作入力に応じたワイヤレス信号を送信させるリモコン側制御部とを有し、スイッチ本体は、リモコン装置からのワイヤレス信号が受信されたときに受信部に受信されたワイヤレス信号に応じて負荷への給電をオンオフするので、リモコン装置を３路スイッチと同様の用途に用いることができる。
【００１６】
請求項２の発明は、リモコン側ハウジングが、リモコン側操作部を上向きとして平面上に安定して載置可能な形状であって、リモコン側操作部を上向きとして設置されたときに少なくとも水平方向にワイヤレス信号が送信される向きで送信部を保持しているので、リモコン装置を卓上に載置して使用することができる。
【００１７】
請求項３の発明は、リモコン側電源部が商用電源から電源を生成するので、リモコン側電源部が乾電池から電源を生成する場合と違い、乾電池を交換する必要がない。
【００１８】
請求項４の発明は、リモコン側操作部においてハウジング外に露出して操作力を受ける部位の少なくとも一部が蓄光性を有する材料で構成されているので、暗闇の中でもリモコン装置を操作しやすくなる。また、電気的光源を用いる場合に比べ、消費電力が低減される。
【発明を実施するための最良の形態】
【００１９】
以下、本発明を実施するための最良の形態について、図面を参照しながら説明する。
【００２０】
本実施形態は、図２に示すように、照明負荷Ｚへの給電をオンオフするスイッチ本体２と、スイッチ本体２から離れた位置に配置されて矢印Ａ１で示すようにスイッチ本体２に制御のためのワイヤレス信号を送信するリモコン装置１とを備える。
【００２１】
リモコン装置１は、図３に示すように、例えば押釦スイッチからなり使用者による操作入力を受け付ける操作部１１と、例えば赤外発光ダイオードを有して赤外光を媒体としたワイヤレス信号を送信する送信部１２と、操作部１１に操作入力が受け付けられたときに送信部１２を制御して操作部１１に受け付けられた操作入力に応じたワイヤレス信号を送信させる制御部１３と、例えば１００Ｖの商用電源ＡＣを整流・平滑及び降圧することにより送信部１２及び制御部１３の電源を生成する電源部１４とを備える。本実施形態では、電源部１４が商用電源ＡＣから電源を生成することにより、乾電池を用いる場合と違って乾電池の交換が不要となっている。
【００２２】
また、図１に示すように、制御部１３を収納するとともに操作部１１と送信部１２と電源部１４とをそれぞれ保持したハウジング１０を有する。ハウジング１０は略直方体形状であって、背面からは電源部１４が有してコンセント（図示せず）に接続される一対の栓刃１４ａが突出するとともに、前面には、送信部１２が放射する赤外光を通過させる窓部１２ａと、操作部１１が有して操作力を受けるハンドル１１ａとが上下に並べて設けられている。ハンドル１１ａには、蓄光性を有する材料で構成された表示部１１ｂが設けられており、暗所では表示部１１ｂが発光することによりリモコン装置１の発見やハンドル１１ａの操作が容易となっている。本実施形態では、上記のように表示部１１ｂに蓄光性を有する材料を用いたことにより、発光ダイオードなどの電気的光源を用いる場合に比べて消費電力が低減されている。特に、電源部１４において商用電源ＡＣではなく乾電池を用いるように変更する場合、上記のように表示部１１ｂに蓄光性を有する材料を用いた方が乾電池の寿命が延びるから望ましい。
【００２３】
スイッチ本体２は、図４に示すように、使用者による操作入力を受け付ける操作部２１と、例えばフォトダイオードを有してリモコン装置１の送信部１２が送信するワイヤレス信号を受信する受信部２２と、商用電源ＡＣから照明負荷Ｚへの給電路に挿入されて照明負荷Ｚへの給電をオンオフするスイッチ部２５と、操作部２１に操作入力が受け付けられたときに操作部２１に受け付けられた操作入力に応じてスイッチ部２５を制御するとともに受信部２２にリモコン装置１からのワイヤレス信号が受信されたときに受信部２２に受信されたワイヤレス信号に応じてスイッチ部２５を制御する制御部２３と、制御部２３の電源を生成する電源部２４とを有する。また、スイッチ本体２は、スイッチ部２５と制御部２４とをそれぞれ収納するとともに操作部２１と受信部２２と電源部２４とをそれぞれ保持して壁面等の施工面に埋込配設されるハウジング２０を有する。ハウジング２０の前面には、操作部２１が有して操作力を受けるハンドル２１ａと、受信部２２にワイヤレス信号を入射させる窓部２２ａとが設けられている。
【００２４】
本実施形態の動作を説明する。リモコン装置１やスイッチ本体２のそれぞれにおいて、制御部１３，２３は、操作部１１，２１が継続して操作力を受けている時間を計時しており、操作部１１，２１への操作力が解除されたとき、上記計時された時間が所定の操作閾値を上回っているか否かに応じて異なる動作をする。操作閾値は、使用者が意図的に操作力を維持しているといえる程度に長い時間であり、例えば２秒とする。以下、操作部１１，２１への操作力の継続時間が操作閾値以下である場合を「スイッチ短押し」と呼び、操作部１１，２１への操作力の継続時間が操作閾値を上回っている場合を「スイッチ長押し」と呼ぶ。リモコン装置１の制御部１３は、スイッチ短押しの場合とスイッチ長押しの場合とで異なるワイヤレス信号を送信部１２から送信させる。
【００２５】
スイッチ本体２の制御部２３は、図５に示すように、スイッチ部２５がオフされていて照明負荷Ｚが消灯している間にリモコン装置１とスイッチ本体２とのいずれかでスイッチ短押しがなされたときに、所定の遅れ時間の間だけスイッチ部２５をオンして照明負荷Ｚを点灯させ遅れ時間の経過時にスイッチ部２５をオフして照明負荷Ｚを消灯させる遅れ動作を行う。また、スイッチ本体２の制御部２３は、遅れ動作による点灯中は、リモコン装置１とスイッチ本体２とのいずれかでスイッチ短押しがなされると、遅れ時間の経過前であってもスイッチ部２５をオフして照明負荷Ｚを消灯させる。さらに、スイッチ本体２の制御部２３は、遅れ動作による点灯中や消灯中にリモコン装置１とスイッチ本体２とのいずれかでスイッチ長押しがなされると、スイッチ部２５を継続してオン状態とし照明負荷Ｚを連続点灯させる。また、スイッチ本体２の制御部２３は、照明負荷Ｚの連続点灯中は、リモコン装置１とスイッチ本体２とのいずれかでスイッチ短押し又はスイッチ長押しがなされる（つまり、何らかのスイッチ操作がされる）と、スイッチ部２５をオフして照明負荷Ｚを消灯する。
【００２６】
なお、リモコン装置１の電源部１４は、２次電池（図示せず）と、栓刃１４ａがコンセントに接続されているときに商用電源ＡＣを用いて２次電池を充電する充電回路（図示せず）と、２次電池を電源として送信部１２や制御部１３の電源を生成する電源回路（図示せず）とを備えるものであってもよい。この構成を採用すれば、リモコン装置１をコンセントから取り外して使用可能となる。
【００２７】
また、図６に示すように、リモコン装置１のハウジング１０を卓上に設置可能な形状としてもよい。図６の例においては、ハウジング１０は、ハンドル１１ａと窓部１２ａとともに全体として平面側を下向きとして卓上に載置される半球形状となっており、下面には例えば合成ゴムからなる滑り止め用の脚部１０ａが設けられている。また、ハンドル１１ａは上向きに保持され、下向きの押力によって操作される。さらに、窓部１２ａは上方から見てハンドル１１ａを囲む環形状となっており、ハウジング１０が水平な面上に載置された状態では、送信部１２は、上方から見て全周に、水平方向を含む立体角でワイヤレス信号を送信する。図６の例においては電源部１４はハウジング１０の下部に設けられた電池収納部（図示せず）に収納された乾電池（図示せず）を電源としており、栓刃１４ａは設けられていないが、栓刃１４ａを有して商用電源ＡＣのコンセントに接続されるプラグ（図示せず）と、プラグと電源部１４とを接続するコード（図示せず）とを設け、商用電源ＡＣを使用する構成としてもよい。
【図面の簡単な説明】
【００２８】
【図１】本発明の実施形態におけるリモコン装置を示す斜視図である
【図２】同上の使用形態の一例を示す説明図である。
【図３】同上のリモコン装置を示すブロック図である。
【図４】同上のスイッチ本体を示すブロック図である。
【図５】同上のスイッチ本体の動作の一例を示す説明図である。
【図６】同上の別の形態におけるリモコン装置を示す斜視図である。
【符号の説明】
【００２９】
１  リモコン装置
２  スイッチ本体
１０，２０  ハウジング
１１，２１  操作部
１１ｂ  表示部
１２  送信部
１３，２３  制御部
１４，２４  電源部
２２  受信部
２５  スイッチ部
ＡＣ  商用電源
Ｚ  照明負荷
【図１】
2008236375.tif 000003
【図２】
2008236375.tif 000004
【図３】
2008236375.tif 000005
【図４】
2008236375.tif 000006
【図５】
2008236375.tif 000007
【図６】
2008236375.tif 000008